(57)【特許請求の範囲】
【請求項１】
圃場に形成された１又は２以上の畝の上面、両側面及び該畝の両側の圃場面を被覆する長尺状の農業用マルチ資材の少なくとも前記圃場面を被覆する領域に、レーザー加工により両端に熱的に収縮された膨出部が形成された直径２〜３０ｍｍの半円状又は円弧状の水抜き孔用スリットを有することを特徴とする農業用マルチ資材。
【請求項２】
前記長尺状の農業用マルチ資材が、圃場に形成された２つの畝の上面、両側面及び該畝の両側の圃場面を被覆可能な広幅であることを特徴とする請求項１記載の農業用マルチ資材。
【請求項３】
前記水抜き孔用スリットが、幅方向に隣接するスリット間で１８０度向きを変えて形成されることを特徴とする請求項１又は２記載の農業用マルチ資材。
【発明の詳細な説明】
【技術分野】
【０００１】
本発明は、農業用マルチ資材に関し、詳しくは圃場に形成された畝の両側から排水を効果的に行う農業用マルチ資材に関する。
【背景技術】
【０００２】
従来、マルチ栽培においては、圃場に複数の畝を形成し、その各々の畝にマルチ資材を被覆している。従って各畝の間の凹んだ位置の圃場には隣接するマルチ資材が重なり合った状態で被覆されている。このためその凹んだ圃場面には雨水が溜まり、なかなか排水できないのが実情である。
【０００３】
かかる雨水の滞留は、湿害の問題を引き起こす問題がある。湿害は通常生育途中に病害が出やすい問題となって顕在化する。また雨水があると収穫時に作物を濡らして出荷の妨げになる問題もある。
【０００４】
このために特許文献１には畝間に溝部材を設けて排水孔を設ける技術が開示されている。しかし、特許文献１では溝部材の設備コストがかかる問題がある。
【特許文献１】特開２００５−１６０３６５号公報
【発明の開示】
【発明が解決しようとする課題】
【０００５】
そこで、本発明は、低コストで排水が可能であり、雑草を防止し、病害の発生を防止できる農業用マルチ資材を提供することを課題とする。
【０００６】
更に、本発明の他の課題は、以下の記載によって明らかとなる。
【課題を解決するための手段】
【０００７】
上記課題は、以下の各発明によって解決される。
【０００８】
（請求項１）
圃場に形成された１又は２以上の畝の上面、両側面及び該畝の両側の圃場面を被覆する長尺状の農業用マルチ資材の少なくとも前記圃場面を被覆する領域に、レーザー加工により両端に熱的に収縮された膨出部が形成された直径２〜３０ｍｍの半円状又は円弧状の水抜き孔用スリットを有することを特徴とする農業用マルチ資材。
【０００９】
（請求項２）
前記長尺状の農業用マルチ資材が、圃場に形成された２つの畝の上面、両側面及び該畝の両側の圃場面を被覆可能な広幅であることを特徴とする請求項１記載の農業用マルチ資材。
【００１０】
（請求項３）
前記水抜き孔用スリットが、幅方向に隣接するスリット間で１８０度向きを変えて形成されることを特徴とする請求項１又は２記載の農業用マルチ資材。
【発明の効果】
【００１２】
本発明によれば、低コストで排水が可能であり、雑草を防止し、病害の発生を防止できる農業用マルチ資材を提供することができる。
【発明を実施するための最良の形態】
【００１３】
以下、本発明の最良の実施形態について図面を用いて説明する。
【００１４】
本発明の農業用マルチ資材は、フィルムや不織布などを用いることができるが、好ましいのはフィルムである。以下の説明ではフィルムについて言及する。
【００１５】
図１は本発明の農業用マルチ資材の一形態の敷設状態を示す概略断面図であり、図２は同上の農業用マルチ資材の一形態を示す図であり、（Ａ）は平面図、（Ｂ）は敷設状態の断面図である。
【００１６】
図１において、１は圃場であり、２、２、２、２は圃場１上に形成された複数の畝（図示の例は４列）である。畝２、２、２、２は、高畝でも通常の畝高さでもよい。
【００１７】
畝２、２、２、２は上面２０、両側面２１，２２によって構成され、畝２、２、２、２間には相対的に凹んだ圃場面３が形成される。
【００１８】
４、５は長尺状の農業用マルチ資材であり、一つの農業用マルチ資材４で二つの畝２、２（図面上左側から二つ目までの畝）を被覆しており、他の一つの農業用マルチ資材５で二つの畝２、２（図面上右側から二つ目までの畝）を被覆している。
【００１９】
農業用マルチ資材４，５には、凹んだ圃場面３を被覆している領域に複数の水抜き孔用スリット６が形成されている。この構成について図２に基づき詳細に説明する。
【００２０】
図２に示すように、複数の水抜き孔用スリット６は、長尺状の農業用マルチ資材４については、ａ、ｂ、ｃの３つの領域に形成され、長尺状の農業用マルチ資材５については、ｄ、ｅ、ｆの３つの領域に形成されている。これらの領域はいずれも凹んだ圃場面３を被覆している領域である。
【００２１】
図示の例では、２つの畝２，２を一つの農業用マルチ資材で被覆する態様について説明したが、２以上の畝を一つの農業用マルチ資材で被覆する態様であってもよいし、あるいは一つの畝を一つの農業用マルチ資材で被覆する態様であってもよい。
【００２２】
本発明において、水抜き孔用スリット６は、直線状、半円状又は円弧状のいずれでもよい。直線状である場合、保水効果が高いという効果がある。また半円状や円弧状である場合、水抜けが早いという効果がある。
【００２３】
なお、水抜き孔用スリットは、上記以外に、畝２の上面に位置するフィルム領域に付加的に形成することもできる。
【００２４】
図１のように直線状である場合には、スリット長さは１０〜１００ｍｍの範囲が好ましい。１０ｍｍ未満であると水抜けが不良であり、１００ｍｍを越えるとフィルム強度が低下し好ましくない。直線状のスリットは１列でも２列以上でもよいが、１０列以下が好ましい。
【００２５】
図３（Ａ）には半円状のスリットが示されているが、この場合、直径２〜３０ｍｍの半円状又は円弧状になるようなスリットが好ましい。直径２ｍｍ未満では水抜けが不良であり、３０ｍｍを越えると雑草が繁茂し好ましくない。半円状又は円弧状のスリットは１列でも２列以上でもよいが、１０列以下が好ましい。
【００２６】
なお、図３（Ｂ）は  図３（Ａ）に示す１個の半円状のスリットが開口した状態が示されている。
【００２７】
図４には半円状のスリットの他の好ましい態様を示している。図４に示す例は、半円状のスリットの向きを幅方向に隣接するスリット間で１８０度変えた態様である。このようにすると、畝の傾斜方向に依らず水抜けが良好になる効果がある。
【００２８】
本発明において、水抜き孔用スリット６は、レーザー加工により形成されることが好ましい。
【００２９】
農業用マルチ資材４、５に機械的なスリッターでスリットを形成した場合には、スリットの周囲は直線的に形成され、図５、６に示すようにスリット６の両端６Ａと６Ｂからスリット方向に裂けるおそれがある。これに対してレーザー加工によると、図７に示すようにスリット６の両端に熱的に収縮された膨出部６０が形成され、その膨出部６０の存在によりスリット６の両側で裂けていくことを防止できる。
【００３０】
本発明に用いられる農業用マルチ資材４，５の樹脂としては、特に限定されないが、ポリオレフィン系樹脂が好ましく、中でも低密度ポリエチレン（ＬＤＰＥ）、直鎖低密度ポリエチレン（ＬＬＤＰＥ）、メタロセン触媒型直鎖低密度ポリエチレン（ＬＬＤＰＥ：直鎖の炭素数が２〜８の範囲）などが挙げられる。
【００３１】
農業用マルチ資材４、５には、各種着色剤（黒、緑、白などの着色顔料）や各種安定剤などを添加してもよい。更に単層は勿論、多層フィルム（白層と黒層からなる２層フィルムなど）やフィルム幅方向に色違いがある配色フィルム（例えば幅方向に緑、黒、緑）でも構わない。
【実施例】
【００３２】
以下、実施例により本発明の効果を例証する。
【００３３】
実施例１（水抜け試験）
（フィルム試作）
＜試作フィルム１＞
（１）ベースフィルム
みかど化工社製黒フィルム（商品名：ＫＯブラック）を用い、フィルム幅は、１３５ｃｍに形成した（畝２列を被覆）。        
（２）スリット
スリットは図２に示すように、フィルムの幅方向のａ、ｂ、ｃの３つの領域に形成した。
各領域のスリットは、ＣＯ２ガスレーザー装置を用い、出力３０Ｗのエネルギーで形成した。
スリット形状は、図３に示す半円形スリットとした。半円形の直径は約１５ｍｍとした。
【００３４】
＜試作フィルム２＞
（１）ベースフィルム：試作フィルム１と同じ。
（２）スリット
スリットは図２に示すように、フィルムの幅方向のａ、ｂ、ｃの３つの領域に形成した。
各領域のスリットは、ＣＯ２ガスレーザー装置を用い、出力３０Ｗのエネルギーで形成した。
スリット形状は、図４に示す半円形スリット（１８０度反転）とした。半円形の直径は約１５ｍｍとした。
【００３５】
＜比較用の試作フィルム１＞
（１）ベースフィルム：試作フィルム１と同じ。
（２）丸孔
試作フィルム１のスリットを丸孔（直径６ｍｍ）に変えた以外は同様にした。
【００３６】
（実験）
＜畝仕様及びフィルムの被覆＞
幅３０ｃｍ、長さ１８ｍの畝を４畝つくり、２畝ずつ試作フィルムを被覆し、畝間の部分で２つのフィルムを重ねた。
【００３７】
＜水抜き試験＞
畝間の谷部に水を畝の高さの半分程度満たし（長手方向側を閉鎖している）、どのくらいの時間で水が抜けたかを調べた。
試作フィルム１：２０分で完全に抜けた。
試作フィルム２：１５分で完全に抜けた。  
比較の試作フィルム１：２０分で完全に抜けた。  
【００３８】
以上の結果、試作フィルム２がやや早いことがわかった。
【００３９】
実施例２（栽培試験方法）
（試験場所）
３種類の試作フィルム（実施例１で作成したもの）及び水抜き孔のないフィルムを用いて、千葉県市原市みかど化工株式会社の試験農場において、レタス栽培を行った。
【００４０】
（圃場）
試験農場に幅３ｍ×長さ１８ｍの２区の実験区列と２区の対照区列（全４区）を設け、各区に２山ずつ上記フィルム試料を並列に３本敷設した畝を６本形成した。
【００４１】
（レタスの品種）
栽培に用いたレタスの品種：グレートレーク（大和農園種苗）
【００４２】
（評価）
＜水抜けの測定＞
・  栽培期間中の雨天の日に水抜けの具合を目視観察した。
・  測定結果
試作フィルム１：水が溜まることなく雨が止むと暫くして乾いた。
試作フィルム２：水が溜まることなく雨が止むと暫くして乾いた。
比較の試作フィルム１：水が溜まることなく雨が止むと暫くして乾いた。
水抜き孔のないフィルム：水が溜り乾くまでに２、３日かかった。
【００４３】
＜病害の測定＞
１）測定法
レタス収穫時に、外観を観察し、軟腐病の出ている株を数え、全株数との割合を算出した。
２）結果
試作フィルム１：軟腐病はほとんど無し。
試作フィルム２：軟腐病はほとんど無し。
比較の試作フィルム１：軟腐病はほとんど無し。
水抜き孔のないフィルム：軟腐病の出ている株３割あり。
【００４４】
＜雑草測定＞
１）測定法
水抜き孔から出てくる雑草の数を数え比較した。  
２）結果
試作フィルム１：雑草はほとんど無し。
試作フィルム２：雑草はほとんど無し。
比較の試作フィルム１：各孔から雑草がでた。
水抜き孔のないフィルム：雑草無し。
【図面の簡単な説明】
【００４５】
【図１】本発明の農業用マルチ資材の一形態の敷設状態を示す概略断面図
【図２】同上の農業用マルチ資材の一形態を示す図であり、（Ａ）は平面図、（Ｂ）は敷設状態の断面図
【図３】スリットの一形態を示す図
【図４】スリットの他の形態を示す図
【図５】機械的なスリッターでスリットを形成した場合のスリットの断面図
【図６】スリット方向の裂けを説明した図
【図７】レーザー加工で形成したスリットの断面図
【符号の説明】
【００４６】
１：圃場
２：畝
２０：上面
２１、２２：両側面
３：凹んだ圃場面
４、５：長尺状の農業用マルチ資材
６：スリット
６Ａ、６Ｂ：スリットの両端
６０：膨出部
【図１】
0004484805.tif 000002
【図２】
0004484805.tif 000003
【図３】
0004484805.tif 000004
【図４】
0004484805.tif 000005
【図５】
0004484805.tif 000006
【図６】
0004484805.tif 000007
【図７】
0004484805.tif 000008